(57)【要約】【課題】合成樹脂製の框部に熱による収縮が生じても接合部で隙間の発生を防止して、気密性と意匠性を向上できる。【解決手段】ドアは枠体内に障子３を納めた。上框の金属上框１０ａの屋内側を向く面の外側端部に設けた上框気密当接部１０ａｃと、金属上框１０ａにおける上框気密当接部１０ａｃの内側に取り付けた樹脂上框１０ｂと、戸先側の縦框１３における金属縦框１３ａの屋内側を向く面の外側端部に設けた縦框気密当接部３２と、金属縦框１３ａにおける縦框気密当接部３２の内側に取り付けた樹脂縦框１３ｂと、上框１０及び縦框１３の当接部に設けて上框気密当接部１０ａｃ及び縦框気密当接部３２を接続する縦框気密ピース２９ｃとを設けた。【選択図】図４
2017179936.tif 000002
【特許請求の範囲】
【請求項１】
上下の横枠及び左右の縦枠で形成された枠体内に、上下の横框及び左右の縦框で形成された框体内にパネルを設けた障子を納めた建具において、
金属横框の屋内側を向く面の外側端部に設けた横框気密当接部と、
前記金属横框における前記横框気密当接部の内側に取り付けた樹脂横框と、
金属縦框の屋内側を向く面の外側端部に設けた縦框気密当接部と、
前記金属縦框における前記縦框気密当接部の内側に取り付けた樹脂縦框と、
前記横框及び縦框の当接部に設けて前記横框気密当接部及び前記縦框気密当接部を接続する気密ピースと
を設けたことを特徴とする複合建具。
【請求項２】
前記横框と前記縦框に設けた前記気密ピースの側面との接合部にシール部材を介在させた請求項１に記載された複合建具。
【請求項３】
前記気密ピースを設けた縦框が前記横框に当接する面と前記金属縦框のパネルを設けたパネル嵌合溝の底面とは略同一面であり、前記同一面にシール部材を介在させた請求項１または２に記載された複合建具。
【請求項４】
前記樹脂横框及び金属横框と前記樹脂縦框及び金属縦框の少なくとも一方はねじで互いに固定されている請求項１から３のいずれか１項に記載された複合建具。
【請求項５】
前記気密ピースには前記横框の長手方向と前記縦框の長手方向の少なくとも一方に設けた伸縮防止金具が連結され、
伸縮防止金具と前記横框の金属横框との間に前記横框の樹脂横框を挟んでおり、または／及び前記伸縮防止金具と前記縦框の金属縦框との間に前記縦框の樹脂縦框を挟んでいるようにした請求項４に記載された複合建具。
【請求項６】
前記気密ピースには前記横框の長手方向と前記縦框の長手方向の少なくとも一方に設けた前記伸縮防止金具が連結されるようにした請求項５に記載された複合建具。
【発明の詳細な説明】
【技術分野】
【０００１】
本発明は、枠体内に開閉可能な障子を納めた複合建具に関する。
【背景技術】
【０００２】
従来、特許文献１に記載された辷り出し窓等の建具は、四角形枠状に形成された枠体内にガラスパネルを納めた障子が装着されている。障子の框体における上框の端部に当接する左右の縦框には上下の小口面を覆うキャップが嵌合されている。
障子の上下框と左右の縦框の屋内側外周には窓枠の外面に当接する気密材が全周に亘って設けられている。この窓枠の各角部には縦横方向の気密材の接合部を覆うコーナージョイントが取り付けられている。
【０００３】
上述した構成を備えた障子の上下框及び左右の縦框は、アルミ合金からなる中空の框本体と、この框本体に嵌合した合成樹脂製のサブ框と、框本体の縦横方向に設けた支持板と、支持板の内周側にそれぞれ形成した気密材を装着した蟻溝とで構成されている。また、框本体の上下框に設けた合成樹脂製のサブ框と左右の縦框に設けた樹脂製のサブ框とを障子の４隅の角部で互いに接合させると共にその接合部に屋内側から気密材を当接させている。
【先行技術文献】
【特許文献】
【０００４】
【特許文献１】特開平１１−２００７３１号公報
【発明の概要】
【発明が解決しようとする課題】
【０００５】
しかしながら、特許文献１における框体の上述した構成では、合成樹脂製のサブ框同士の接合部が熱による収縮で隙間が発生してしまい、接合部で気密性と意匠性の低下を招くという欠点があった。
また、特許文献１ではアルミ合金製の框体に樹脂型材をサブ框として取り付けているが、樹脂型材はアルミ合金より熱膨張率が高いためアルミ合金の框体との間で位置ずれを起こすおそれがあった。
【０００６】
本発明は、このような課題に鑑みてなされたものであって、合成樹脂製の框部が熱による収縮が生じても接合部で隙間を発生することを防止して気密性と意匠性を向上できるようにした複合建具を提供することを目的とする。
【課題を解決するための手段】
【０００７】
本発明による複合建具は、上下の横枠及び左右の縦枠で形成された枠体内に、上下の横框及び左右の縦框で形成された框体内にパネルを設けた障子を納めた建具において、金属横框の屋内側を向く面の外側端部に設けた横框気密当接部と、金属横框における横框気密当接部の内側に取り付けた樹脂横框と、金属縦框の屋内側を向く面の外側端部に設けた縦框気密当接部と、金属縦框における縦框気密当接部の内側に取り付けた樹脂縦框と、横框及び縦框の当接部に設けて横框気密当接部及び縦框気密当接部を接続する気密ピースとを設けたことを特徴とする。
本発明によれば、アルミ合金等の金属製からなる横框気密当接部及び縦框気密当接部と気密ピースとで互いの気密をとることができ、しかも樹脂が熱収縮しても気密性の低下を抑制できる。
【０００８】
また、横框と縦框に設けた気密ピースの側面との接合部にシール部材を介在させることが好ましい。
横框の小口の切断面にバラツキや誤差等があってもシール部材を介在させることでシールでき雨水等が侵入することを防止できる。
【０００９】
また、気密ピースを設けた縦框が横框に当接する面と金属縦框のパネルを設けたパネル嵌合溝の底面とは略同一面であり、この略同一面にシール部材を介在させてもよい。
横框の長手方向端部と金属縦框のパネル嵌合溝の底面とにシール部材を設けたため、気密ピースで一体化された略同一の面との間をコーキングシーラー等のシール部材によって止水することができる。
【００１０】
また、気密ピースには横框の長手方向と縦框の長手方向の少なくとも一方に設けた伸縮防止金具が連結され、該伸縮防止金具と横框の金属横框との間に横框の樹脂横框を挟んでおり、または／及び伸縮防止金具と縦框の金属縦框との間に縦框の樹脂縦框を挟んでいることが好ましい。
本発明では、伸縮防止金具と横框の金属横框との間に横框の樹脂横框を挟んでおり、または／及び伸縮防止金具と縦框の金属縦框との間に縦框の樹脂縦框を挟んでいるため、金属と樹脂の熱膨脹差によって樹脂横框や樹脂縦框が金属部材より伸縮することを防止できる。
【００１１】
また、樹脂横框及び金属横框と樹脂縦框及び金属縦框の少なくとも一方はねじで互いに固定されていることが好ましい。
樹脂横框及び金属横框と樹脂縦框及び金属縦框の少なくとも一方をねじ固定することで樹脂の収縮を抑制して意匠性を確保できる。
【００１２】
また、気密ピースには横框の長手方向と縦框の長手方向の少なくとも一方に設けた伸縮防止金具が連結されていてもよい。
【発明の効果】
【００１３】
本発明による複合建具では、金属製からなる横框気密当接部及び縦框気密当接部と気密ピースとで互いの気密をとることができ、しかも合成樹脂が熱収縮しても気密性の低下を抑制できる。そのため、合成樹脂製の框部が熱による収縮が生じても接合部で隙間を発生することを防止して気密性と意匠性を向上できる。
【図面の簡単な説明】
【００１４】
【図１】本発明の実施形態によるドアを屋内側から見た要部正面図である。
【図２】図１に示すドアを示す要部縦断面図である。
【図３】図１に示すドアを示す要部水平断面図である。
【図４】図１はドアの障子における戸先側の縦框と上框の上部角部を示す説明図である。
【図５】図４に示す障子の戸先側の上部角部において、樹脂框を除いた気密ピース部分の説明図である。
【図６】図５において気密ピースの内部に固定された縦框補強板とロッドピンのガイド枠を示す斜視図である。
【図７】障子の戸先側の上部角部における縦框の小口封止用キャップを除いた図である。
【図８】ドアの戸先側の上部角部における上框の縦断面図である。
【図９】本発明の第一変形例によるドアの戸先側の上部角部を示す要部斜視図である。
【図１０】本発明の第二変形例によるドアの戸先側の上部角部における小口封止用キャップを示す要部斜視図である。
【発明を実施するための形態】
【００１５】
以下、本発明の実施形態による建具の一例としてのドアについて添付図面により説明する。
図１に示す実施形態によるドア１は屋内側から見た正面図である。図２はその縦断面図、図３は水平断面図である。図１乃至図３に示すように本実施形態によるドア１は建物の躯体開口部に設置された枠体２と、枠体２内に納められていて開閉可能な扉部としての障子３とを備えている。このドア１は例えば勝手口ドア等として用いられ、アルミ合金と樹脂からなる複合建具である。
ドア１の枠体２は、上枠５と下枠６と左右の縦枠７、８とで四角形枠状に形成されている。枠体２内の障子３は上框１０と下框１１と左右の縦框１２，１３とで四角形枠状に形成された框体１４を備えている。框体１４の内部には１または複数層のガラスパネル１５が納められている。
【００１６】
図２及び図３において、枠体２の上枠５は屋外側の金属上枠５ａと屋内側の樹脂上枠５ｂとで構成され、下枠６は屋外側の金属下枠６ａと屋内側の樹脂下枠６ｂとで構成されている。また、左右の縦枠７，８は屋外側の金属縦枠７ａ，８ａと屋内側の樹脂縦枠７ｂ、８ｂとでそれぞれ構成されている。
障子３において、上框１０は屋外側の金属上框１０ａと屋内側の樹脂上框１０ｂとで構成され、下框１１は屋外側の金属下框１１ａと屋内側の樹脂下框１１ｂとで構成されている。左右の縦框１２，１３は屋外側の金属縦框１２ａ，１３ａと屋内側の樹脂縦框１２ｂ、１３ｂとでそれぞれ構成されている。障子３の框体１４の内部に納められたガラスパネル１５は例えば２層パネルで構成されている。
【００１７】
図２に示す上框１０では金属上框１０ａの受け部が断面略Ｕ字状に形成され、ガラスパネル１５はその両面に設けたシリコン等のシール部材１６、或いは接着剤等によって強固に固定されている。同様にガラスパネル１５は下框１１、左右の縦框１２，１３にそれぞれ設けたパネル嵌合溝とシール部材１６によって強固に固定されている。
図１乃至図３に示すように、障子３の吊元側の縦框１２が、屋内側において縦枠７の樹脂縦枠７ｂにそれぞれ隠れた隠し框構造を有している。そのため、吊元側の縦框１２の見付け方向の幅は戸先側の縦框１３より小さく形成されている。この縦框１２では、ガラスパネル１５の呑込み量が例えば１５ｍｍと大きくても、シール部材１６または接着剤等によってガラスパネル１５と一体に形成したため框体１４を強固に固定できる。そのため、ガラスパネル１５は、障子３が強風等を受けた場合等に框体１４の強度を補強し、框体１４が歪むことを防止するのに役立つ。
【００１８】
また、図３において、吊元側の縦枠７と障子３の縦框１２との間にはヒンジ部１８が所定間隔で固定されている。ヒンジ部１８は軸部１９の一方の第一取付板２０が金属縦枠７ａにボルトで固定され、他方の第二取付板２１が金属縦框１２ａにボルトで固定されている。しかも、ヒンジ部１８を取り付けた吊元側の縦枠７と縦框１２との間に指等が挟まれないように、縦枠７の樹脂縦枠７ｂには障子３の樹脂縦框１２ｂに向けて突出するガード部材２３が取り付けられ、人の手などが入らないように隙間を小さくしている。
障子３において、戸先側の縦框１３にはその高さ方向中央部の両面にハンドル２５が取り付けられている。ハンドル２５を回転操作することでグレモン錠の上下両側で図示しないロッドを上下方向に動作させてロックとその解除が行われる。また、戸先側の金属縦框１３ａと金属縦枠８ａの中央にはロック装置とデッドボルト等の受け座とが設置されている。
【００１９】
また、図２において、金属上枠５ａの屋外側を向く面に設けた受け部２６ａにはゴムや軟質樹脂等からなるシール部材２６が取り付けられ、障子３の閉鎖状態で金属上框１０ａに設けた上框気密当接部１０ａｃがシール部材２６に当接して気密にシールする。同様に、金属下枠６ａの屋外側を向く面に設けた受け部２８ａにはシール部材２８が取り付けられ、障子３の閉鎖状態で金属下框１１ａに設けた当接部１１ａａがシール部材２８に当接して気密にシールする。
また、図３において、戸先側の金属縦枠８ａの屋外側を向く面に設けた受け部３４ａにはシール部材３４が取り付けられ、障子３の閉鎖状態で後述する戸先側の金属縦框１３ａの気密保持部材３０に設けた縦框気密当接部３２がシール部材３４に当接して気密にシールする。
【００２０】
図１、図３及び図４において、障子３の縦框１３と上框１０の接合部である戸先側角部２７の内部構造について説明する。なお、同一構成を備えた戸先側角部２７は縦框１３と下框１１の接合部にも形成されている。
この戸先側角部２７は、図４に示すように、上框１０の小口に縦框１３の上端部が当接してネジで固定されている。縦框１３の上面の小口には端部キャップ２９が装着されて覆い、端部キャップ２９の縦枠８側の側面には煙返しキャップ２９ａが一体形成されている。端部キャップ２９の上面には上枠５側にグレモン錠のロッドを進退させるための開口２９ｂが形成されている。端部キャップ２９の屋内側の面には樹脂縦框１３ｂの上端に設けた金属製の縦框気密ピース２９ｃが気密ピースとして形成されている。縦框気密ピース２９ｃは金属上框１０ａの屋内側の面に設けた金属製の上框気密当接部１０ａｃに接続されている。
【００２１】
図５は戸先側角部２７の端部キャップ２９と樹脂縦框１３ｂと樹脂上框１０ｂを除いた図である。図３及び図５において、縦框１３の金属縦框１３ａの上部は略四角形筒状に形成されたアルミ合金製等の気密保持部材３０を形成する。中空の気密保持部材３０は縦枠８側の側面３０ａの屋外側端部に断面視略階段状のヒレ形状を形成して屋外側に突出する煙返し３１が設けられている。この煙返し３１は、気密保持部材３０を含む金属縦框１３ａの側面３０ａと縦枠８の金属縦枠８ａとの隙間を覆っている(図３参照)。
【００２２】
また、気密保持部材３０の屋外側に突出する煙返し３１に対向する屋内側端部は壁面３０ｂから屋内側に突出して先端が例えば略Ｔ字形状をなす金属製の縦框気密当接部３２を形成している。この縦框気密当接部３２に対向する位置には、図３に示すように戸先側の縦枠８の金属縦枠８ａから屋外側に突出している突出片３３に形成された受け部３４ａにシール部材３４が装着されている。そして、障子３を閉鎖させた状態で気密保持部材３０の縦框気密当接部３２が金属縦枠８ａに設けたシール部材３４に当接して屋外と屋内を気密にシールすることができる。
【００２３】
また、図５乃至図８において、中空の気密保持部材３０の内部には上下方向に延びる縦框補強板３６が設けられている。縦框補強板３６は例えばスチール等の金属で形成されている。気密保持部材３０の上框１０側の壁面３０ｃに例えばピン等の係止部を設けて、縦框補強板３６に設けた係止穴に係合させる等して、仮固定できるようになっている。
図６に示す縦框補強板３６にはネジ穴３６ａが形成されており、図示しないネジを通して気密保持部材３０の壁面３０ｃと連結することで、気密保持部材３０を含む縦框１３の剛性と強度を補強できる。また、縦框補強板３６はその上端部と下端部にグレモン錠のロッドを進退させるためのガイド枠３７ａ、３７ｂがそれぞれ連結されている。
【００２４】
図５において、気密保持部材３０の屋内側の壁面３０ｂにはその上下方向に沿って縦伸縮防止金具４０が連結されており、この縦伸縮防止金具４０は長手方向に直交する断面が略Ｌ字状に形成されている。しかもこの縦伸縮防止金具４０の下部にはネジを挿通させるネジ穴４０ａが形成されている。
また、気密保持部材３０の屋内側の壁面３０ｂには金属上框１０ａに沿って水平方向に横伸縮防止金具４１が連結されている。この横伸縮防止金具４１は縦伸縮防止金具４０と略同一形状を呈しており、その先端にネジ穴４１ａが形成されている。縦伸縮防止金具４０と横伸縮防止金具４１は例えばスチール等の金属部材で構成されている。
【００２５】
図７において、気密保持部材３０を含む金属縦框１３ａの屋内側の壁面３０ｂにはホロー部４２を含む樹脂縦框１３ｂが係止されて固定されている。樹脂縦框１３ｂの一端は断面略Ｌ字状に形成された係止部１３ｂａが金属縦框１３ａの縦框気密当接部に係止し、他端は係止部１３ｂｂが金属縦框１３ａに設けた略Ｔ字状の突部１３ａｂの端部に形成している。また、樹脂縦框１３ｂの屋内側の表面は気密保持部材３０の縦框気密当接部と略面一に形成されている。
【００２６】
縦伸縮防止金具４０は樹脂縦框１３ｂのホロー部４２内に納められており、その一方の面と気密保持部材３０の側面３０ａとの間に樹脂縦框１３ｂのホロー部４２の一辺を構成する厚板１３ｂｃを挟んでいる。そして、側面３０ａに形成した不図示のねじ挿通穴からネジ４４を挿通させ、樹脂の厚板１３ｂｃを貫通して縦伸縮防止金具４０のネジ穴４０ａに締め込み固定している。金属からなる縦伸縮防止金具４０と側面３０ａとで樹脂縦框１３ｂの厚板１３ｂｃを挟んでネジ４４で固定したため、縦伸縮防止金具４０及び側面３０ａと樹脂縦框１３ｂの厚板１３ｂｃとで熱膨張率が異なるが、ネジ４４によって固定することで樹脂縦框１３ｂの熱膨張を抑制できる。
【００２７】
また、図８において、戸先側角部２７における上框１０の金属上框１０ａは屋内側の側壁１０ａａに対して上面１０ａｂが更に屋内側に突出しており、その先端には金属上枠５ａに設けたシール部材２６に当接して気密にシールする金属製の上框気密当接部１０ａｃが設けられている。上面１０ａｂの下側には、樹脂上框１０ｂが設置されて上下方向に複数の空間に仕切られて、側壁１０ａａに係合されている。上框気密当接部１０ａｃと樹脂上框１０ｂの表面とはほぼ面一に形成されている。
側壁１０ａａに沿って延びる横伸縮防止金具４１の一方の面とその上部の金属上框１０ａの上面１０ａｂとの間に樹脂上框１０ｂの上部を屈曲させた厚板１０ｂａが挟まれている。そして、金属上框１０ａの上面１０ａｂに設けた不図示のネジ挿通穴からネジ４４を挿入して厚板１０ｂａを介して横伸縮防止金具４１のネジ穴４１ａに締め込み固定している。
【００２８】
金属の横伸縮防止金具４１と上面１０ａｂとで樹脂上框１０ｂの厚板１３ｂｃを挟んでネジ４４で固定したため、金属製の横伸縮防止金具４１及び上面１０ａｂと樹脂上框１０ｂの厚板１０ｂａとで熱膨張率が異なるが、ネジ４４によって固定することで樹脂上框１０ｂの熱膨張を抑制できる。
なお、上述したように、障子３の縦框１３と上框１０の接合部である戸先側角部２７だけでなく、縦框１３の下部である気密ピースと下框１１との接合部にも、同一構成の戸先側角部２７が設けられている。
【００２９】
上述したように本実施形態によるドア１では、枠体２に納めた開閉可能な障子３の戸先側に設けた中空の縦框１３の上部と下部を気密保持部材３０として内部に縦框補強板３６を係止させてネジで固定したため、縦框１３の強度が向上する上に上框１０や下框１１との連結強度も向上し、障子３の開放状態で突風や強風等に晒されても框体１４が曲がったりすることを防止できる。
しかも、縦框補強板３６は予め中空の気密保持部材３０の内側の壁面３０ｃに仮固定してあるため、縦框補強板３６の取り付け作業が容易である。また、気密保持部材３０を含む金属縦框１３ａの縦框気密当接部３２、金属上框１０ａの上框気密当接部１０ａｃを、金属縦枠８ａに設けたシール部材３４、金属上枠５ａに設けたシール部材２６にそれぞれ当接させて気密にシールすることができ、しかも熱膨脹差が小さい。
【００３０】
また、上下の戸先側角部２７において、それぞれ金属製の上框気密当接部１０ａｃと縦框気密ピース２９ｃと縦框気密当接部３２を互いに接続して気密をとるため、障子３の樹脂上框１０ｂと樹脂縦框１３ｂと樹脂下框１１ｂが熱収縮したとしても枠体２との間で気密性の低下を抑えられる。
また、縦框１３の上下の気密保持部材３０に縦伸縮防止金具４０と横伸縮防止金具４１を固定し、縦伸縮防止金具４０と気密保持部材３０の側面３０ａとの間、横伸縮防止金具４１と金属上框１０ａの上面１０ａｂとの間に、それぞれ樹脂縦框１３ｂの厚板１３ｂｃ、樹脂上框１０ｂの厚板１０ｂａを挟んでネジ４４で固定したため熱膨脹差による樹脂縦框１３ｂと樹脂上框１０ｂの伸縮を抑制することができる。
【００３１】
なお、本発明によるドア１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３２】
図９は本発明によるドア１の障子３における戸先側角部２７の第一変形例を示すものである。
障子３の戸先側角部２７において、端部キャップ２９及び縦框１３の金属縦框１３ａ及び樹脂縦框１３ｂの側面に上框１０の金属上框１０ａ及び樹脂上框１０ｂの小口がコーキングシーラ等のシール部材４３を挟んで当接し、液密に封止している。コーキングシーラとはスポンジ状の板材である。金属上框１０ａの小口面と金属縦框１３ａのガラス嵌合溝の底面及び気密ピース２９ｃの側面(一体化した側面)とはシール部材４３を介して止水化している。
なお、下框１１と縦框１３との当接面にも同様に金属下框１１ａ及び樹脂下框１１ｂと金属縦框１３ａ及び樹脂縦框１３ｂとの間にシール部材４３が介在して液密に封止している。
一般に金属上框１０ａや金属下框１１ａ等のアルミ形材は小口の切断面にばらつきがあるため、金属縦框１３ａとの当接部に隙間ができることがあり、雨水等の水が浸入しやすい。そのため、金属框部品だけでなく樹脂框部品を含んでシール部材４３を介在させて貼り合わせることで止水性を確保できる。
【００３３】
図１０は本発明によるドア１の障子３における端部キャップ２９の第二変形例を示すものである。
図１０に示す障子３の戸先側角部２７において、上框１０の金属上框１０ａの小口面に縦框１３の金属縦框１３ａの壁面が当接している。金属縦框１３ａの小口４６には端部キャップ４７が嵌合されている。端部キャップ４７は樹脂製であり、その内部には例えばアルミ合金やスチール等の金属からなる縦框補強板４８が嵌合されている。縦框補強板４８は金属縦框１３ａの壁面を通して金属上框１０ａにネジで固定されている。
【００３４】
縦框補強板４８は上述した実施形態による縦框補強板３６と同様に板状に形成されており、端部キャップ４７の上面に形成された複数の穴部４７ａ等に縦框補強板４８の上端係合部４８ａ等が係合することで仮固定されている。例えば一の穴部４７ａは平面視四角形状であり、これに嵌合する上端係合部４８ａは略Ｌ字状または略板状に形成されている。そして、金属縦框１３ａと端部キャップ４７の側面から縦框補強板４８とタッピングネジ等のネジ４４で金属上框１０ａに連結することができる。
また、端部キャップ４７の屋外側の端部には上方向に起立する略Ｌ字状をなす水切りジョイント４９がネジ等で連結されている。これによって、ドア１の枠体２の上枠５及び縦枠８の角部と障子３との隙間から雨水等が吹き込むことを抑えることができる。
なお、上述した端部キャップ４７の構成は戸先側の縦框１３の上部だけでなく下部にも配設されている。
【００３５】
また、上述した実施形態では、金属縦框１３ａの上下部に設けた気密保持部材３０と煙返し３１を一体に形成したが、本発明はこれに限定されることなく、煙返し３１を気密保持部材３０と別体に形成して取り付けるようにしてもよい。
また、縦框１３の上下の気密保持部材３０に縦伸縮防止金具４０と横伸縮防止金具４１を固定したが、これに限定されることはない。例えば、縦伸縮防止金具４０と横伸縮防止金具４１の一方のみを設けて、樹脂縦框１３ｂの厚板１３ｂｃまたは樹脂上框１０ｂの厚板１０ｂａを、気密保持部材３０の側面３０ａとの間または金属上框１０ａの上面１０ａｂとの間に設けてネジ等で固定して挟持し固定させてもよい。なお、挟持される樹脂縦框１３ｂまたは樹脂上框１０ｂの部分は厚板でなくてもよいことは言うまでもない。
また、上述した実施形態による端部キャップ２９を備えた気密保持部材３０の構成や変形例による端部キャップ４７は障子３の戸先側角部２７に設けたが、吊元側角部に設けてもよい。
【００３６】
また、上述した実施形態では、障子３の吊元側の縦框１２が屋内側から見て枠体２に隠れる隠し框構造としたが、これに代えて上框１０、下框１１、戸先側の縦框１３の１つまたは複数が隠し框に構成されていてもよい。或いは、本発明によるドア１は隠し框構造でなくてもよい。
なお、本発明の実施形態では開き戸のドア１について説明したが、本発明はこのようなドア１に限定されることなく縦辷り出し窓や横辷り出し窓等の各種の建具にも適用できる。また、本発明において上枠５及び下枠６は横枠、上框１０及び下框１１は横框に含まれる。シール部材２６、２８、３４は気密材に含まれ、縦框補強板３６，４８は縦框補強部材に含まれる。
【符号の説明】
【００３７】
１  ドア
２  枠体
３  障子
５  上枠
６  下枠
７，８  縦枠
１０  上框
１１  下框
１２、１３  縦框
１５  ガラスパネル
１８  ヒンジ部
２５  ハンドル
２７  戸先側角部
２９、４７  端部キャップ
２９ａ  煙返しキャップ
２９ｃ  縦框気密ピース(気密ピース)
３０  気密保持部材３０
３０ａ  側面
３１  煙返し
３２  縦框気密当接部
３４、４３  シール部材
３６、４８  縦框補強板
３７ａ、３７ｂ  ガイド枠
４０  縦伸縮防止金具
４０ａ、４１ａ  ネジ穴
４１  横伸縮防止金具
４４  ネジ
【図１】
2017179936.tif 000003
【図２】
2017179936.tif 000004
【図３】
2017179936.tif 000005
【図４】
2017179936.tif 000006
【図５】
2017179936.tif 000007
【図６】
2017179936.tif 000008
【図７】
2017179936.tif 000009
【図８】
2017179936.tif 000010
【図９】
2017179936.tif 000011
【図１０】
2017179936.tif 000012